(57)【要約】【課題】  ユーザの個人プロファイルデータに基づき各種の情報を配信できる情報サービスシステムを実現すること。【解決手段】  システム運用部と、このシステム運用部とネットワークを介して接続され、ネットワーク内で唯一の特定アドレスが割り当てられた複数のノードと、これらシステム運用部および複数のノードとネットワークを介して接続されたシステム利用者端末とで構成され、システム運用部は、各ノードが検知した物理量及び各ノードに対してノードユーザが働きかけたアクションをプロファイルデータとしてリアルタイムで逐次更新収集解析し、これらプロファイルデータに基づき各ノードユーザとシステム利用者間における情報データの授受を仲介することを特徴とする。【選択図】                    図２
2006004441.tif 000002
【特許請求の範囲】
【請求項１】
システム運用部と、
このシステム運用部とネットワークを介して接続され、ネットワーク内で唯一の特定アドレスが割り当てられた複数のノードと、
これらシステム運用部および複数のノードとネットワークを介して接続されたシステム利用者端末とで構成され、
前記システム運用部は、各ノードが検知した物理量及び各ノードに対してノードユーザが働きかけたアクションをプロファイルデータとしてリアルタイムで逐次更新収集解析し、これらプロファイルデータに基づき各ノードユーザとシステム利用者間における情報データの授受を仲介することを特徴とする情報サービスシステム。
【請求項２】
前記システム運用部は、前記システム利用者のアクセス可能期間、アクセス頻度、アクセスタイミングの少なくともいずれかを設定することができることを特徴とする請求項１記載の情報サービスシステム。
【発明の詳細な説明】
【技術分野】
【０００１】
本発明は、情報サービスシステムに関するものであり、詳しくは、広告コンテンツな
どの各種情報をユーザの個人プロファイルに合わせて配信するシステムに関する。
【背景技術】
【０００２】
現状の広告媒体には新聞・雑誌・ＴＶ・ラジオなどがあるが、広告はいずれの媒体においても不特定多数の読者や視聴者を対象としてブロードキャスト配信されているものといえる。
【０００３】
例えば放送コンテンツと広告コンテンツの関係に着目すると、ＴＶ放送局は制作会社と協力してユーザである視聴者が望むと思われる放送コンテンツを作成する。広告依頼主は、その放送コンテンツのスポンサーとなることを条件にして、放送コンテンツの中に広告コンテンツを挿入させる。
これにより、視聴者は、広告依頼主の広告コンテンツを見ることを前提として、興味を持つ放送コンテンツを視聴することになる。
【発明の開示】
【発明が解決しようとする課題】
【０００４】
しかし、現状の広告はブロードキャストで無差別に配信されるために、広告プロダクトのターゲットユーザでないのにも拘わらずその広告が配信されてしまうという問題がある。
【０００５】
一方、ユーザにとっては、画一的な広告コンテンツのみの受信であり、個人化（personalize）されたコンテンツを受信できないという問題がある。
【０００６】
このようなブロードキャスト配信に伴う問題を解決する方法として、例えば電話番号などのユーザ情報を名簿に編集して広告依頼主である利用者に提供することが考えられる。
また、インターネットの分野では、WWWブラウザに埋め込まれているユーザの情報（cookie）をWebサイトで判別することにより、ユーザの個人情報を得ることも考えられる。
【０００７】
しかし、前者の名簿情報の場合には、以下のような問題がある。
・情報が最新ではない。
・得られた名簿情報へのアクセスは、利用者自身が一件一件行う必要がある。
・名簿情報に掲載されている全ユーザに対して、同時にリアルタイムにアクセスできない。
・それぞれの利用者毎にカスタマイズされたプロファイルに基づく名簿を得ることは困難であり、作成するためには非常にコストがかかる。
【０００８】
後者のcookieに基づいてユーザの個人情報を得る場合には、以下のような問題がある。
・ユーザの承諾を得ずに無断で個人データを使うことになる。
・あくまでもWebサイトごとに得られるものであり、ユーザ情報は一元管理されていない。
・Webサイトごとにユーザプロファイルを変更することが可能であり、プロファイルデータの一貫性について保証はなく、信頼性が低い。
・広告依頼主からターゲットユーザを絞ったPUSH型のコンテンツ配信ができない。
・Webサイトなどを運営せずにマーケティングのみを行うことはできない。
【０００９】
本発明は、これらの問題点を解決するものであり、その目的は、ユーザの個人プロファイルデータに基づき各種の情報を配信できる情報サービスシステムを実現することにある。
【課題を解決するための手段】
【００１０】
上記の目的を達成する請求項１に記載の発明は、
システム運用部と、
このシステム運用部とネットワークを介して接続され、ネットワーク内で唯一の特定アドレスが割り当てられた複数のノードと、
これらシステム運用部および複数のノードとネットワークを介して接続されたシステム利用者端末とで構成され、
前記システム運用部は、各ノードが検知した物理量及び各ノードに対してノードユーザが働きかけたアクションをプロファイルデータとしてリアルタイムで逐次更新収集解析し、これらプロファイルデータに基づき各ノードユーザとシステム利用者間における情報データの授受を仲介することを特徴とする情報サービスシステムである。
【００１１】
請求項２に記載の発明は、請求項１記載の情報サービスシステムにおいて、
前記システム運用部は、前記システム利用者のアクセス可能期間、アクセス頻度、アクセスタイミングの少なくともいずれかを設定することができることを特徴とする。
【００１２】
システム運用部は各ユーザのプロファイルデータをリアルタイムで逐次更新収集解析し、これら最新のプロファイルデータを広告や情報コンテンツを配信したり各種のアンケートを実施するためのアプリケーションと組み合わせて、各ノードユーザとシステム利用者
間における情報データの授受を仲介する。
【００１３】
これにより、システム利用者は、例えば地域別や世帯構成別などのプロファイルデータ解析結果に基づくきめの細かい広告配信を行うことができ、配信した広告コンテンツの効果の向上が期待できるとともに、高い効果を期待できる広告コンテンツの配信ルールの構
築が可能になる。
また、アンケートを実施する場合には、より関心の高いユーザグループに的を絞ることができる。
【００１４】
一方、ユーザは自身のプロファイルに適合した関心度の高い広告コンテンツが閲覧できる。
また、アンケート依頼に対しても自身のプロファイルに適合した関心度の高い分野の設問が多くなるので、積極的に回答できることになる。
【発明の効果】
【００１５】
以上説明したように、本発明によれば、ユーザの個人プロファイルデータに基づき各種の情報を配信できる情報サービスシステムを実現できる。
【００１６】
これにより、例えば従来のようなブロードキャスト形態の情報サービスでは不可能であった、広告の効果（費用対効果）の高精度測定や、広告効果の向上を定量化評価が行える。
【００１７】
また、ユーザのプロファイルをコンテンツクリックデータに基づいて逐次更新するので、従来のアンケートによるプロファイルデータのような陳腐化を防止できる。
【００１８】
また、ユーザは、購入しようとする商品に関連する広告コンテンツを購買を想起するタイミングでリアルタイムに取得することができるとともに、ライフサイクル（会社と家庭との情報の隔離）に合わせてどこででも個人化（personalize）された広告コンテンツを見ることができ、従来のような不要な広告コンテンツの視聴に費やす時間を節約できるという効果も得られる。
【００１９】
広告依頼主は、短時間でのユーザへの広告配信が期待でき、ユーザの購買履歴に基づく購買促進が可能になり、ユーザに配信された広告の効果をユーザが実際に購買したかどうかで把握できるので、以前に比べてより高い広告効果が期待できる。
【発明を実施するための最良の形態】
【００２０】
図１は本発明のシステム概念図、図２は図１の要部の具体的な構成例を示すブロック図である。図１および図２において、インターネット１には、システム運用部２、各ユーザ５のプロファイルデータを提供する複数のユーザノード３、システム利用者端末４などが接続されている。
【００２１】
システム運用部２には、各ユーザ５のプロファイルデータを格納するユーザプロファイル部２１、システム利用者である広告主が提供する広告コンテンツを格納する広告コンテンツ部２２、各ユーザ５の購入金額やアクセスに連動したポイントデータや広告コンテンツの閲覧に伴うクリックデータなどを格納するアクセス情報管理部２３、各ユーザ５のスケジュールやイベントのデータを格納するユーザスケジュール管理部２４、データ解析処理部２５、配信収集制御部２６、システム利用者やユーザに提供するアプリケーションプログラムを格納するアプリケーションプログラム格納部２７などが設けられている。
【００２２】
データ解析処理部２４は、システム運用部２に蓄積されている各種のデータに基づき、ユーザ５に対して例えば商品購入を動機付ける可能性を高めるための効率のよい広告コンテンツを個別に配信するために必要な、データマイニング、クラスタリング、統計解析、多次元解析などの各種の解析処理を行う。
【００２３】
また、データ解析処理部２４は、これらの解析結果に基づいて、広告依頼主への課金や広告効果測定なども行う。
【００２４】
配信収集制御部２５は、データ解析処理部２４の解析処理結果に基づいて各ユーザ５に適切な広告コンテンツを配信するとともに、ノード３を介してユーザ５のプロファイルや広告コンテンツに対するクリックなど各種のデータを収集するための制御を行う。
【００２５】
なお、システム運用部２は、このような広告配信の他、アンケートの配布回収や、各種のアプリケーションプログラムサービスも提供する。
【００２６】
ノード３には、例えばＩＰｖ６によるネットワーク内で唯一のノードユーザを特定するためのアドレスが割り当てられている。
【００２７】
ノード３としては、検出対象の温度・湿度・圧力・画像・音響・振動・オンオフ接点などの少なくともいずれかの物理量を測定する少なくとも１つのセンサを有するセンサノード、リモート制御機能を有するリモコンノード、冷蔵庫の利用状況を検出するセンサが接続された冷蔵庫ノード、放送コンテンツと広告コンテンツおよび情報コンテンツを受信する機能を有するＳＴＢ（セットトップボックス）ノードなどを用いる。
【００２８】
例えば冷蔵庫ノード３には、図２に示すように、それぞれのユーザ５の購入金額に連動したポイントデータや広告コンテンツの閲覧に伴うクリックデータなどを格納するアクセス情報管理部３１、冷蔵庫内に収納している食品の賞味期限データなどを格納する冷蔵庫管理部３２、ユーザ５の日常的な書き込みデータを格納するメモ管理部３３、ユーザ５のスケジュールやイベントのデータを格納するユーザスケジュール管理部３４、電子メールの授受を制御するメーラー部３５などが設けられている。
【００２９】
図３は、冷蔵庫ノード３の具体例図である。冷蔵庫の利用状況を検出するセンサとして、冷蔵庫のドアの開閉を検出するドア開閉センサ３６、冷蔵庫の内部を監視するための庫内カメラ３７、冷蔵庫の内部の温度を測定するための庫内温度センサ３８なども接続されている。
【００３０】
また冷蔵庫ノード３には、ユーザ５が買い物に携帯するＩＣカードのようなデータ記録媒体６との間でデータの授受を行うためのインターフェース３９を備えている。データ記録媒体６には、ユーザ５の購入金額に連動したポイントデータを格納するポイント情報管理部６１や購入した食品の賞味期限データを格納する食品情報管理部６２などが設けられている。なお、データ記録媒体６は、例えばＰＤＡのような携帯端末であってもよい。
【００３１】
さらに冷蔵庫ノード３は、図示しない冷蔵庫に固着または着脱可能に構成されているユーザ端末７との間のデータ授受を、例えば赤外線や無線伝送で行うように構成されているが、信号線で接続するものであってもよい。
【００３２】
広告主としてのシステム利用者４を食品スーパーとすると、ユーザ５が携帯持参するデータ記録媒体６との間でデータの授受を行うレジシステム４１、レジシステム４１に提供する食品の賞味期限データなどを格納する食品データ管理部４２、ユーザ５のプロファイルデータや購買履歴データなどを格納するユーザ管理部４３、各店の駐車場状況や店内状況や商品の在庫状況などの各種の店状況管理データを格納する店状況管理部４４などを設けている。
【００３３】
図１のように構成される情報サービスシステムにおける利用形態について説明する。
【００３４】
まず、システム運用部２とユーザ５の利用形態について説明する。ユーザ５は、システム運用部２に対して、ノード３を介して提供するプロファイルデータの公開限度を宣言する。システム運用部２は、ユーザ５に対して、それぞれのプロファイルデータの公開限度に応じて、利用割引ポイント加点、景品プレゼント、提供する情報の密度、情報閲覧権利の広さなどの段階的なインセンティブを付与する。
【００３５】
次に、システム運用部２とシステム利用者４の利用形態について説明する。
システム利用者４は、システム運用部２との間で、システム運用部２が提供するサービスの質に関して契約を行い、システム利用者４が望むプロファイルを持つユーザ５にアクセスする権利およびアクセスする方式を利用する権利を得て、それらのサービスに対する費用を支払う。
【００３６】
図１の動作を説明する。
システム運用部２は、各ノード３およびシステム利用者端末４との間でインターネット１を介して通信を行いながら、ユーザプロファイルの登録と削除、マッチング機能、仲介機能、フィルタリング機能（オプトイン機能）、ノードのチェック機能、ノードのアドレス登録変更処理などの各種の処理を実行する。
【００３７】
＜ユーザプロファイルの登録＞
ユーザプロファイルの登録にあたっては、ユーザ５が所有しインターネット１に接続されるノード３とユーザプロファイルを対応させる。ノード３を識別するＩＤとしてＩＰアドレスを用いる。このＩＰアドレスとしては前述のように例えばＩＰｖ６を用いてもよい。
【００３８】
ノード３のＩＰアドレスとそのユーザ５のプロファイルデータをシステム運用部２に格納する。ここで、ノード３は前述のように例えば物理量をセンシングしたり、ユーザからの入力を受け付けることができるので、ノード３が検出した物理量データやユーザ５がノード３に対して働きかけたアクションなども随時ユーザプロファイルデータとして利用できる。
【００３９】
＜マッチング機能＞
システム運用部２は、特定のユーザプロファイルをもつユーザ５をサンプリングし、前述のように契約に基づくシステム利用者４に対し、ユーザ５が所有するノード３にアクセスする権利を与える。アクセスの例としては、広告コンテンツや各種情報コンテンツの配布、アンケートの実施などがある。
【００４０】
システム運用部２は、システム利用者４に対して、例えば以下のような様々なサービスレベルを提供できる。
例えばユーザ５のサンプリング属性の絞り込み条件として、男女、年齢、地域、職業などを組み合わせることができる。
【００４１】
アクセス可能期間として、1ヵ月間はいつでもとか、毎週水曜日のみ３ヵ月間にわたってなどが設定できる。
ユーザ５への配信頻度については、１０００人のユーザに対してそれぞれ１０回とか、１００００人のユーザに対してそれぞれ１回のように指定できる。
【００４２】
ユーザ５にアクセスするタイミングについては、スケジュール型、周期的、特定時間、イベント型、ある特定のイベントが生じたときなどが設定できる。
【００４３】
ここでイベントの種類としては、まず各ユーザ５が主体となる個別の誕生日、各種記念日、家族の各種行事予定、ユーザ５による本システム上での情報検索操作、アンケートに対する回答操作などが考えられる。
【００４４】
次に、ノード３に設けられているセンサによる事象の検知がある。例えば赤外線センサで冷蔵庫ノード３の前にユーザ５が立っていることを検知した、温度計や湿度計で室温や湿度が設定値を越えたことを検知したなどがある。
【００４５】
＜仲介機能＞
システム利用者４からのメッセージを、インターネット１およびノード３を介してサンプリングされた特定のユーザ５に対して分配する。
なお、これらのメッセージは、それぞれのユーザ５のプロファイルに基づいて内容をカスタマイズできる。
また、メッセージ形式は、ノード３のタイプに応じてカスタマイズできる。
【００４６】
システム運用部２は、これらのメッセージに対するユーザ５からのアクションを、システム利用者４にフィードバックする。ノード３がセンスした情報も、ユーザ５の設定した公開限度および契約に応じてシステム利用者４に提供する。
【００４７】
＜フィルタリング機能，オプトイン機能＞
ユーザ５のノード３はシステム利用者４によってアクセスされるが、システム運用部２はアクセス方式やアクセス内容やアクセス者に関して必要な制限を加えることができる。
【００４８】
例えばアクセス方式については、クーポン形式のみ、ＤＭのみ、画像のみ、テキストのみのように指定できる。
【００４９】
アクセス内容としては、車に関するもの、スーパーのお買い得情報に関するものなどに特定できる。
【００５０】
そして、アクセスできるシステム利用者４として、ユーザ５が日常利用しているスーパー店、関心をもっている車のメーカーやディーラーなどを特定できる。逆にアクセスさせたくないシステム利用者４を指定することも可能である。
【００５１】
＜ノードのチェック機能＞
システム運用部２は、予め登録されているＩＰアドレス先に所定のノード３が正しく接続されているかチェックする機能を有する。登録されているＩＰアドレス先に接続されたノード３が本システムに対応するものか否かを確認できる。対応しない場合には、そのＩＰアドレスに対応するノード３のユーザ５に関するプロファイルデータを使用停止にすることができる。
【００５２】
＜ノードのアドレス登録変更処理＞
ユーザ５が本システムからの登録削除を希望するときは、ユーザプロファイルデータファイルから該当するユーザのすべての項目を削除する。
【００５３】
ユーザに割り当てられているＩＰアドレスが変化した場合には、ノード３に埋め込まれているアップデート機能により、ユーザプロファイルデータファイルもPlug  and  Playの形で自動更新される。
【００５４】
このような図１のシステム構成により、従来プロファイルデータとして利用できなかったノード３が検知した物理量や、ノード３に対してユーザ５が働きかけたアクションもプロファイルデータとして利用できる。
【００５５】
ハードウェアであるノード３とユーザ５とを対応づけできるので、従来のCookieを使った場合と比較するとユーザ５の特定がより正確である。
【００５６】
インターネット上の論理アドレスをＩＤとするため、ノード３の物理的デバイスが変わっても同じＩＤを利用できる。
【００５７】
ユーザ個人のプロフィールデータを時系列で管理できるので、検索エンジンのバナーで用いられているコンテンツドリブンなユーザ属性のような一元的なプロファイルに比較して、より細かい個々のユーザ５別の個人化（personalize）が可能となる。
【００５８】
ＩＰｖ６のアドレスはほぼ無限空間を持つので、世界中のユーザを識別するＩＤとして最適である。
【００５９】
システム運用部２が提供するサービスは、サーバ上のアプリケーションとしてサービスを提供するＡＳＰモデルの形態であることから、人手を介することなく木目細かいサービスを低コストで実現できる。
【００６０】
システム利用者は、必要な時に必要なユーザ空間を賃借することができるので自前で高額な設備投資をする必要がなく、それらの資金を例えばマーケティングなどの本来業務に集中でき、効率のよい経営が行える。
【００６１】
なお、本発明は、ターゲットユーザの決定、見込みユーザの絞り込み、ユーザの囲い込みなどのワン・トゥ・ワン（One  to  One）マーケティングにも有効である。具体的なアプリケーションとしては、「個人プロファイルデータを利用したパーソナライズされた広告ならびにコンテンツ配信」や、「個人プロファイルデータを利用したアンケート調査」などがある。
【００６２】
さらに、ユーザ自身もプロファイルデータに基づいて所定条件を満たす他のユーザのユーザにアクセスできるようにすることにより、互いに対等な立場でデータのやり取りをするピア・ツー・ピア（Peer  to  Peer）のサービスも展開可能である。
【００６３】
図２の動作を説明する。
システム運用部２は、ユーザ５のプロファイルや、スケジュール内の公開可能な運動会、卒業式、結婚式、仲間との飲み会、洗車、ドライブ予定などの各種のイベントデータなどに基づいて、ユーザ５の近況に適合する広告コンテンツを選択的に配信する。
【００６４】
また、各ユーザ５の広告コンテンツのクリック実績や商品の購入実績などに基づいて、ユーザのプロファイルデータを逐次更新するとともに、広告主４に対する課金処理も行う。
【００６５】
また、広告コンテンツの有効期限管理も行い、ユーザ５への配信にあたって期限切れのものを配信しないように制御するとともに、ユーザ５のノード３に広告コンテンツが格納されている場合にはそれらについても期限切れになったら削除する。
【００６６】
ノード３は、ドア開閉センサ３６により冷蔵庫８の開閉を検知したり、例えば赤外線センサでユーザ５が冷蔵庫８に近づいてきたことを検知すると、冷蔵庫８のドアの表に設置されたユーザ端末７に、そのユーザ５のプロファイルに適合する広告コンテンツを表示す
る。
【００６７】
また、ユーザ端末７は、ノード３の制御に基づいて、庫内カメラ３７による冷蔵庫の内部の映像、庫内温度センサ３８による冷蔵庫の内部温度の測定結果、ユーザのメモ情報、スケジュール情報、メールなども表示する。
【００６８】
図４に、ユーザ端末７の画面例図を示す。図４において、画面の上部分には各広告コンテンツをアイコン化した複数のクリックボタン７１が配列されている。これらのクリックボタン７１をクリックすることにより、それぞれの広告コンテンツを見ることができる。画面の下部分には複数の機能選択ボタン７２が配列されている。これらの機能選択ボタン７２をクリックすることにより、それぞれの機能に対応した操作画面が表示される。画面の最下部には所望の文字記号を入力するためのタッチペン入力部７３が設けられている。
【００６９】
なお、ユーザ端末７の表示は、常時オンでもよいし、常時はオフでユーザ５の操作により選択的にオンされるようにしてもよいし、前述のように常時はオフでセンサの検出信号に従ってオンにするものであってもよい。ユーザ端末７は冷蔵庫に対して着脱可能であることから、例えば居間に持っていって見ることもできる。
【００７０】
冷蔵庫ノード３は、配信された広告コンテンツを格納する機能、格納した広告コンテンツを検索する機能、ユーザプロファイルに基づき広告コンテンツを選択するフィルタリング機能、有効期間が無効になったときに格納されている広告コンテンツを消去する機能、データ記録媒体６にアクセスしてその内容を参照したり更新する機能、家族単位のライフサイクルに合わせてスケジュールやメモのコンテンツを同期させ共有する機能などを備えている。
【００７１】
ところで、ユーザ端末７に表示される広告コンテンツにはクリックボタン機能が付加されていて、クリックの有無を検知することにより広告コンテンツのリーチ（到達度）を測定できる。
【００７２】
広告コンテンツのクリック検知にあたっては、２つの方法が考えられる。第１の方法はフロントエンド側のユーザ端末７におけるプログラムのアプレットによる検知であり、第２の方法はバックエンド側のシステム運用部２におけるプログラムによるクリックにより生じるトランザクションの検知である。第１の方法によればシステム運用部２の負荷を軽減でき、第２の方法によれば各ユーザ端末７からのクリックデータの転送が不要になる。
【００７３】
広告コンテンツのクリック数はポイントデータとして扱い、その累積ポイントによりユーザ５は割引やクーポン券などの利益を得ることができるものとする。この累積ポイントが、ユーザの広告コンテンツを見る行為の動機付けとなる。
【００７４】
これら累積ポイント管理についても、バックエンド側で行う方法とフロントエンド側で行う方法が考えられる。
【００７５】
バックエンドで行う場合は、システム運用部２のポイント管理データベースを参照し、そのポイントに基づき割引などの利益を広告主のユーザ５に提供することができる。
【００７６】
フロントエンドで行う場合は、ポイント情報をデータ記録媒体６に格納しておき、そのポイント情報を格納したデータ記録媒体６をユーザ５が広告主のレジシステム４１まで持っていって広告主のレジシステム４１と連携させることで、ユーザ５は割引などの利益を
得ることができる。
【００７７】
また、これら広告コンテンツの配信システムと広告主の管理する購買システムとを連携させることにより、広告情報サービスによる効果を、実際にその広告コンテンツに基づいて購買したユーザ数に基づく購買率として測定できる。
【００７８】
また、ユーザ５がデータ記録媒体６を広告主のレジシステム４１まで持って行って食品を購入することによって、データ記録媒体６には購入した食品の賞味期限リストなどの購買履歴データをレジシステム４１を介して書き込むことができる。
【００７９】
購買履歴データが書き込まれたデータ記録媒体６をノード３に差し込むことにより購買履歴データが読み込まれ、ノード３に格納されている冷蔵庫内の食品の賞味期限食品データベースなどが更新される。なお、冷蔵庫内のある食品を消費した場合には、ユーザ端末７から賞味期限食品データベースにアクセスして該当する食品のデータに消費日のデータを入力したり、削除したりする。
【００８０】
またこのような構成を利用することにより、運用システム２は、広告コンテンツや商品に関するアンケートをオンラインで実施して収集解析できる。運用システム２は各ユーザ５のプロファイルデータを持っているので、各ユーザ５の回答や意見をプロファイル毎にまとめて多面的に解析できる。
【００８１】
なお、冷蔵庫ノード３へのアクセスはユーザ端末に限るものではなく、リモートパソコンや携帯端末などのユーザインターフェースでも可能である。図５では、携帯端末９を用いてアクセスする例を示している。
【００８２】
図５の例では、携帯端末９にも、ノード３と同様にポイント情報管理部９１、冷蔵庫管理部９２、メモ管理部９３、ユーザスケジュール管理部９４、メーラー部９５などを設けている。携帯端末９とノード３とは、無線伝送が可能な距離関係にある場合にはインターネット１を介することなく直接無線によるデータの授受を行い、無線伝送が不可能な遠隔地の場合にはインターネット１を介してデータの授受を行う。なお、これらは無線伝送に限るものではなく、信号線による有線伝送でもよい。
【００８３】
これにより、例えば外出先やそれぞれの部屋から、ノード３に接続されているカメラを介して冷蔵庫の内部をモニタしたり、ノード３にデータを書き込んだり、ノード３の食品データを参照して食品の賞味期限をチェックすることができる。また、ノード３を家族共有のデータベースと位置づけ、それぞれの帰宅経路に応じて必要な買物を分担することもできる。
【００８４】
システム運用部２を管理運用するシステム運用者は、図６に示すように、多数のユーザ５のプロファイルに基づく広告コンテンツの配信やクリックデータなどを管理しているので、広告主４に対してプッシュセールスあるいはコンサルタントすることが可能になる。また、具体的なクリックデータに基づいて、広告枠のオークションを展開実施することができる。
【００８５】
また、図７に示すように、ユーザ端末７に表示される広告コンテンツを見たユーザ５が、自身が属するコミュニティー１０の複数のメンバーに対してその広告コンテンツを添付したメールを配信することが期待でき、メールを媒体とした口こみによるセールスプロモーションが展開できる。
【００８６】
また、図８に示すように、ノード３上で冷蔵庫内の食品リスト（賞味期限）をチェックする買物エージェントプログラムを動作させて賞味期限が近づいている購買予定商品（食品）リストを生成してシステム運用部２に伝送し、システム運用部２は各ユーザ５毎の食品リストに関するユーザの居住地域や通勤経路などをも考慮したプロファイルに基づく広告コンテンツを自動生成して各ノード３に配信し、ユーザは自動生成配信された広告コンテンツを閲覧するようにしてもよい。
【００８７】
このような冷蔵庫ノード３を用いることにより、家庭でのアクセス回数が多い冷蔵庫を広告媒体として着目した新しい広告配信システムを構築できる。システム運用部２は購買確率の高いユーザに的を絞った効率のよい広告コンテンツを配信でき、ユーザ５は購買しなければならない商品（食品）に関する最新の広告コンテンツに基づいて納得のいく買物が行える。
【図面の簡単な説明】
【００８８】
【図１】本発明のシステム概念図である。
【図２】図1の要部の構成ブロック図である。
【図３】図１のシステムにおける冷蔵庫ノードの構成例図である。
【図４】図２のシステムにおけるユーザ端末の説明図である。
【図５】図２のシステムにおける携帯端末によるアクセスの説明図である。
【図６】図２のシステムにおけるシステム運用部２と広告主４との関係説明図である。
【図７】図２のシステムにおけるユーザ５による情報展開の説明図である。
【図８】図２のシステムにおける広告コンテンツの自動配信の概念説明図である。
【符号の説明】
【００８９】
１  インターネット
２  システム運用部
３  ノード
４  広告主
５  ユーザ
６  データ記録媒体（ＩＣカード）
７  ユーザ端末
８  冷蔵庫
９  携帯端末（ＰＤＡ）
【図１】
2006004441.tif 000003
【図２】
2006004441.tif 000004
【図４】
2006004441.tif 000005
【図６】
2006004441.tif 000006
【図８】
2006004441.tif 000007
【図３】
2006004441.tif 000008
【図５】
2006004441.tif 000009
【図７】
2006004441.tif 000010